(57)【要約】【課題】外部装置からコンテンツデータを要求された際に通常行う処理以外の処理を行うことなく、コンテンツデータを提供できない状況であることを外部装置に通知できるコンテンツ出力装置を提供する。【解決手段】記録再生装置１の制御部１０は、ＤＭＰ装置からコンテンツデータの再生要求を取得した場合、実行不可処理情報１２ａが示す所定処理が現在実行中であるか否かを判断する。制御部１０は、実行中でないと判断した場合、再生対象となるコンテンツデータを示すコンテンツリストを生成し、実行中であると判断した場合、コンテンツデータを再生できない旨を示すメッセージを表示するコンテンツリストを生成する。制御部１０は、生成したコンテンツリストを、コンテンツデータの再生を要求してきたＤＭＰ装置へ提供する。【選択図】図２
2014072777.tif 000002
【特許請求の範囲】
【請求項１】
コンテンツデータを記憶する記憶部と、外部装置からコンテンツデータの再生要求を受け付ける再生要求受付部と、再生要求を受け付けた場合、前記記憶部に記憶してあるコンテンツデータに係るコンテンツリストを前記外部装置へ出力するリスト出力部と、いずれかのコンテンツデータの再生指示を受け付ける再生指示受付部と、再生指示を受け付けたコンテンツデータを前記外部装置へ出力するコンテンツ出力部とを備えるコンテンツ出力装置において、
前記再生要求を受け付けた場合、コンテンツデータの再生が可能であるか否かを判定する判定部と、
該判定部が可能でないと判定した場合、前記コンテンツリストに、再生が可能でない旨を示す情報を付加する付加部とを備え、
前記リスト出力部は、前記付加部が前記情報を付加したコンテンツリストを出力するようにしてあることを特徴とするコンテンツ出力装置。
【請求項２】
コンテンツデータの再生処理を含む複数の処理の実行が可能な処理部と、
前記複数の処理のうちで、前記再生処理と同時に実行可能でない処理に係る処理情報を記憶する処理記憶部と、
前記再生要求を受け付けた場合、前記処理記憶部に処理情報が記憶されているいずれかの処理が実行中であるかを判断する判断部とを備え、
前記判定部は、前記判断部が実行中であると判断した場合、コンテンツデータの再生が可能でないと判定するようにしてあることを特徴とする請求項１に記載のコンテンツ出力装置。
【請求項３】
前記付加部は、前記判断部が実行中であると判断した処理が実行中であることによって再生できない旨を示す情報を付加するようにしてあることを特徴とする請求項２に記載のコンテンツ出力装置。
【請求項４】
外部装置との間でＤＬＮＡ（Digital Living Network Alliance）プロトコルに従った通信を行うようにしてあることを特徴とする請求項１から３までのいずれかひとつに記載のコンテンツ出力装置。
【発明の詳細な説明】
【技術分野】
【０００１】
本発明は、外部装置からの要求に応じてコンテンツデータを出力するコンテンツ出力装置に関する。
【背景技術】
【０００２】
近年、ネットワーク技術の発達に伴い、有線ネットワーク又は無線ネットワークを利用したシステムが普及している。ネットワークには、携帯電話及びノート型ＰＣ（Personal Computer）等の携帯情報機器、家電製品、パーソナルコンピュータ、オーディオ再生機、テレビジョン受信機、記録再生装置等、種々の機器が接続されつつある。このように種々の機器を接続してシステム化することにより、機器間で情報を送受信し、また情報を共有することで、各機器の利便性を向上させている。
【０００３】
このようなシステムに対して、異なるメーカの機器間の接続を容易にするためにＤＬＮＡ（Digital Living Network Alliance）ガイドラインが定められている。ＤＬＮＡガイドラインでは、コンテンツを保存して他の機器へ出力する装置はＤＭＳ（Digital Media Server）と呼ばれ、ＤＭＳからコンテンツを取得して出力（再生）する装置はＤＭＰ（Digital Media Player）と呼ばれる。ネットワークに接続されたパーソナルコンピュータ又は記録再生装置にＤＭＳ機能を搭載することにより、パーソナルコンピュータ又は記録再生装置で保存されているコンテンツを、ＤＭＰ機能を有する他の機器に提供し、他の機器で再生させることができる。
【０００４】
特許文献１では、携帯電話機にＤＭＳ機能を搭載することにより、携帯電話機内に保存されている写真や映像ファイルを、ＤＭＰ機能を有する家庭内のテレビジョン受信機又はパーソナルコンピュータ等で閲覧できるシステムが提案されている。特許文献１に開示されたシステムでは、ＤＭＳ機能を有する機器（ＤＭＳ装置）が、ＤＭＰ機能を有する機器（ＤＭＰ装置）からの要求に応じて、自装置の動作状態を通知することにより、ＤＭＰ装置がＤＭＳ装置の動作状態を把握できる。
【先行技術文献】
【特許文献】
【０００５】
【特許文献１】特開２００９−１２２９１１号公報
【発明の概要】
【発明が解決しようとする課題】
【０００６】
上述したようなシステムにおいて、ＤＭＳ装置は、ＣＰＵ（Central Processing Unit）の処理能力、メモリ容量等のリソースに制限があるので、常にＤＭＳ機能を提供できるとは限らない。例えば、ＤＭＳ機能が搭載された記録再生装置において、録画処理又は再生処理等の処理が複数並行して実行されている状況で新たな再生処理の実行が要求された場合、その要求に応じることができない場合がある。記録再生装置は、ＤＭＰ装置からの要求に応じることができない場合、何も行わないことが多く、この場合、ＤＭＰ装置は要求したコンテンツを再生できない。ＤＭＰ装置がコンテンツを再生できずに何も行わない場合、ＤＭＰ装置のユーザは、コンテンツを再生できない状況であるのか、ＤＭＰ装置又はＤＭＳ装置が故障しているのかを判断できない。またＤＭＰ装置のユーザは、コンテンツを再生できない状況であると判断できた場合であっても、コンテンツが再生されない理由を知ることができない。よって、上述したシステムでは、コンテンツを再生できない場合に、ＤＭＰ装置のユーザが現在の状況を把握できないという問題がある。
【０００７】
本発明は、斯かる事情に鑑みてなされたものである。その目的とするところは、外部装置からコンテンツデータを要求された際に通常行う処理以外の処理を行うことなく、コンテンツを提供できない状況であることを外部装置に通知できるコンテンツ出力装置を提供することにある。
【課題を解決するための手段】
【０００８】
本発明に係るコンテンツ出力装置は、コンテンツデータを記憶する記憶部と、外部装置からコンテンツデータの再生要求を受け付ける再生要求受付部と、再生要求を受け付けた場合、前記記憶部に記憶してあるコンテンツデータに係るコンテンツリストを前記外部装置へ出力するリスト出力部と、いずれかのコンテンツデータの再生指示を受け付ける再生指示受付部と、再生指示を受け付けたコンテンツデータを前記外部装置へ出力するコンテンツ出力部とを備えるコンテンツ出力装置において、前記再生要求を受け付けた場合、コンテンツデータの再生が可能であるか否かを判定する判定部と、該判定部が可能でないと判定した場合、前記コンテンツリストに、再生が可能でない旨を示す情報を付加する付加部とを備え、前記リスト出力部は、前記付加部が前記情報を付加したコンテンツリストを出力するようにしてあることを特徴とする。
【０００９】
本発明によれば、コンテンツ出力装置は、外部装置からコンテンツデータの再生要求を受け付けた場合、再生対象となるコンテンツデータを示すコンテンツリストを外部装置へ提供する。そしてコンテンツ出力装置は、再生指示されたコンテンツデータを外部装置へ提供する。コンテンツ出力装置は、再生要求を受け付けた際に、コンテンツデータの再生が可能であるかを判定し、可能でない場合、再生が可能でない旨を示す情報をコンテンツリストに付加して外部装置へ提供する。よって、コンテンツデータの再生要求があった場合に外部装置に提供されるコンテンツリストにて、コンテンツ出力装置がコンテンツデータを提供できない状況であることを外部装置に通知できる。
【００１０】
本発明に係るコンテンツ出力装置は、コンテンツデータの再生処理を含む複数の処理の実行が可能な処理部と、前記複数の処理のうちで、前記再生処理と同時に実行可能でない処理に係る処理情報を記憶する処理記憶部と、前記再生要求を受け付けた場合、前記処理記憶部に処理情報が記憶されているいずれかの処理が実行中であるかを判断する判断部とを備え、前記判定部は、前記判断部が実行中であると判断した場合、コンテンツデータの再生が可能でないと判定するようにしてあることを特徴とする。
【００１１】
本発明によれば、コンテンツ出力装置は、コンテンツデータの再生処理と同時に実行可能でない処理に係る処理情報を予め記憶している。そしてコンテンツ出力装置は、再生要求された場合に、処理情報が記憶してあるいずれかの処理が実行中であれば、コンテンツデータを再生できないと判定する。よって、コンテンツデータの再生が可能であるか否かを所定の処理が実行中であるか否かに基づいて判定するので、容易に判定できる。
【００１２】
本発明に係るコンテンツ出力装置は、前記付加部は、前記判断部が実行中であると判断した処理が実行中であることによって再生できない旨を示す情報を付加するようにしてあることを特徴とする。
【００１３】
本発明によれば、コンテンツ出力装置は、コンテンツデータの再生処理と同時に実行可能でない処理が実行中であるので再生処理を行えないことをコンテンツリストにて外部装置に通知できる。
【００１４】
本発明に係るコンテンツ出力装置は、外部装置との間でＤＬＮＡ（Digital Living Network Alliance）プロトコルに従った通信を行うようにしてあることを特徴とする。
【００１５】
本発明によれば、コンテンツ出力装置は、ＤＬＮＡプロトコルで規定された処理のみによって、コンテンツデータを再生できない旨を外部装置に通知できる。ＤＬＮＡプロトコルでは、ＤＭＰ装置がＤＭＳ装置に対してコンテンツリストを要求する処理、この要求に応じてＤＭＳ装置がＤＭＰ装置にコンテンツリストを返す処理、ＤＭＰ装置がＤＭＳ装置に対してコンテンツを要求する処理、この要求に応じてＤＭＳ装置がＤＭＰ装置にコンテンツを提供する処理が規定されている。コンテンツ出力装置は、コンテンツデータを再生できない旨を示す情報をコンテンツリストに付加して外部装置（ＤＭＰ装置）へ提供するので、ＤＬＮＡプロトコルで規定された処理以外の処理を追加して行う必要がない。よって、コンテンツ出力装置において、処理負荷が増加せず、外部装置との間で送受信するデータ量も増加しない。
【発明の効果】
【００１６】
本発明では、外部装置からコンテンツデータを要求された際に通常行う処理のみによって、コンテンツデータを提供できない状況であることを外部装置に通知できる。
【図面の簡単な説明】
【００１７】
【図１】本実施形態の記録再生装置を含むホームネットワークシステムの構成例を示す模式図である。
【図２】記録再生装置の内部構成例を示すブロック図である。
【図３】記録再生装置がコンテンツデータの再生を要求された際に行う処理の手順を示すフローチャートである。
【図４】コンテンツリストの表示例を示す模式図である。
【発明を実施するための形態】
【００１８】
以下に、本発明に係るコンテンツ出力装置について、記録再生装置に適用した実施形態を示す図面に基づいて詳述する。
【００１９】
図１は、本実施形態の記録再生装置を含むホームネットワークシステムの構成例を示す模式図である。本実施形態のホームネットワークシステムは、記録再生装置１、テレビジョン受信機２、携帯電話機３等を備え、それぞれはホームネットワークに接続されている。本実施形態のホームネットワークシステムはＤＬＮＡガイドラインに準拠したシステムであり、ホームネットワークに接続される各機器はＤＬＮＡガイドラインに対応した機器である。ホームネットワークは、例えば家庭内に構築されたＬＡＮ（Local Area Network）である。ホームネットワークに接続された各機器は、ホームネットワークを介して相互に通信可能であり、更に、ホームネットワークを介してインターネット等の外部ネットワークにも接続可能である。
【００２０】
本実施形態のホームネットワークシステムにおいて、記録再生装置１はＤＬＮＡガイドラインに準拠したＤＭＳ機能を有し、テレビジョン受信機２はＤＬＮＡガイドラインに準拠したＤＭＰ機能を有する。よって、記録再生装置１（ＤＭＳ装置）は、自装置に記録してあるコンテンツデータを、テレビジョン受信機２（ＤＭＰ装置）からの要求に応じて提供する。携帯電話機３は、ＤＭＰ機能を有し、記録再生装置１（ＤＭＳ装置）からコンテンツデータの提供を受ける構成でもよく、ＤＭＳ機能を有し、自装置に記録してあるコンテンツデータをテレビジョン受信機２（ＤＭＰ装置）へ提供する構成でもよい。なお、本実施形態では、記録再生装置１はＤＭＳ装置であり、テレビジョン受信機２はＤＭＰ装置である構成を例に説明するが、この構成に限定されない。例えば、テレビジョン受信機２に、コンテンツデータを記録するハードディスクが内蔵されている場合、テレビジョン受信機２はＤＭＳ装置として使用可能である。
【００２１】
本実施形態では、記録再生装置１、テレビジョン受信機２及び携帯電話機３をそれぞれ１つ備えたシステムを例に説明するが、記録再生装置１、テレビジョン受信機２及び携帯電話機３のいずれか又は全てをそれぞれ複数台備えてもよい。また、記録再生装置１、テレビジョン受信機２及び携帯電話機３のほかに、ホームサーバ、モニタ装置、ＰＣ（Personal Computer）、ＢＤ（Blu-ray Disk）レコーダ等がホームネットワークに接続されていてもよい。またホームネットワークは、信号線を介して各機器が接続される有線ネットワークでもよいし、各機器間で無線通信を行う無線ネットワークでもよい。
【００２２】
図２は、記録再生装置１の内部構成例を示すブロック図である。本実施形態の記録再生装置１は、例えばハードディスクレコーダであり、制御部１０、ＲＡＭ（Random Access Memory）１１、記憶部１２、ＨＤＤ（Hard Disk Drive）１３、チューナ１４、信号処理部１５、操作部１６及び通信部１７等を備える。これらの各部はバスを介して相互に接続されている。
【００２３】
制御部１０は、ＣＰＵ又はＭＰＵ（Micro Processor Unit）等である。制御部１０は、記憶部１２に記憶されている制御プログラムを適宜ＲＡＭ１１にロードして実行することにより上述した各部を制御し、記録再生装置１を、本発明に係るコンテンツ出力装置として動作させる。
ＲＡＭ１１は、ＳＲＡＭ（Static ＲＡＭ）、ＤＲＡＭ（Dynamic ＲＡＭ）、フラッシュメモリ等である。ＲＡＭ１１は、制御部１０による各種プログラムの実行時に発生する種々のデータを一時的に記憶する。
【００２４】
記憶部１２は、ＥＥＰＲＯＭ（Electrically Erasable and Programmable ROM）、フラッシュメモリ等の不揮発性メモリである。記憶部１２は、制御部１０が実行すべき制御プログラム及び各種データを予め記憶している。例えば、記憶部（処理記憶部）１２は実行不可処理情報１２ａを記憶している。実行不可処理情報１２ａは、ＨＤＤ１３に記録してあるコンテンツデータを読み出して通信部１７からＤＭＰ装置（テレビジョン受信機２）へ出力する再生処理と同時に実行できない処理に係る処理情報である。
ＨＤＤ（記憶部）１３は、大容量のＨＤ（Hard Disk）を内蔵しており、チューナ１４を介して受信したテレビジョン放送信号から得られた映像データ、通信部１７を介してダウンロードしたコンテンツデータ等をＨＤに記憶（記録）する。なお、ＨＤＤ１３に記憶され、ＤＭＰ装置に提供される各種のデータをまとめてコンテンツデータを呼ぶ。
【００２５】
チューナ１４は、図示しないアンテナに接続されており、ユーザにより選択された放送チャンネルに応じてアンテナで受信した電波を検波してテレビジョン放送の放送信号を受信する。チューナ１４は、受信した放送信号を信号処理部１５へ送出する。なお、本実施形態の記録再生装置１はチューナ１４を複数備えていてもよい。
【００２６】
信号処理部１５は、チューナ１４が受信した放送信号から放送番組の番組信号を抽出し、抽出した番組信号を映像データにデコードする。信号処理部１５は、得られた映像データをＨＤＤ１３へ送出して記憶（録画）させる。なお、信号処理部１５は、映像データを通信部１７を介して例えばテレビジョン受信機２へ送出し、テレビジョン受信機２で表示させてもよい。なお、本実施形態の記録再生装置１が複数のチューナ１４を備える場合、それぞれのチューナ１４に対応する信号処理部１５を複数備えてもよい。また、１つの信号処理部１５で複数のチューナ１４から並行して送出されてくる放送信号を順次切り替えて処理するようにしてもよい。
【００２７】
操作部１６は、記録再生装置１をユーザが操作するために必要な各種のキーを備えており、ユーザにより各キーが操作された場合、操作されたキーに対応した制御信号を制御部１０へ送出する。制御部１０は操作部１６から取得する制御信号に従って各種処理を実行する。
なお、記録再生装置１は、遠隔から操作するためのリモートコントロール装置から送信されてくるリモコン信号を受信する受信部を備えてもよい。この場合、受信部は、受信したリモコン信号を制御部１０へ送出し、制御部１０は、リモコン信号を解析し、リモコン信号に応じて記録再生装置１の各部の動作を制御する。
【００２８】
通信部１７は、ホームネットワークに接続するためのインタフェースであり、ホームネットワークに接続された他の機器と、ホームネットワークを介して通信する。なお、制御部１０は、通信部１７を介してＤＭＰ装置（テレビジョン受信機２）との間で、ＤＬＮＡガイドライン（ＤＬＮＡプロトコル）に準拠した通信処理を行う。また通信部１７は、ホームネットワークを介してインターネット等の外部ネットワークに接続可能である。
【００２９】
本実施形態の記録再生装置１において、制御部（処理部）１０は、ＨＤＤ１３に記憶してあるコンテンツデータを読み出して通信部１７からＤＭＰ装置へ出力（提供）する再生処理を含む複数の処理の実行が可能である。例えば、制御部１０は、チューナ１４を介して受信した放送信号から信号処理部１５にて映像データを生成してＨＤＤ１３に記憶させる録画処理、ホームネットワークを介して外部ネットワークに接続されているサーバ装置への接続処理等の実行が可能である。なお、外部ネットワークに接続されているサーバ装置に接続する処理は、例えば、ＤＭＰ装置からの指示に従って行われ、外部ネットワークを介してダウンロードしたコンテンツデータは、外部ネットワークへの接続を要求してきたＤＭＰ装置へ出力（提供）される。
【００３０】
テレビジョン受信機２は、液晶ディスプレイ、プラズマディスプレイ又は有機ＥＬ（Electro Luminescence）ディスプレイ等の表示部を備えた表示装置である。テレビジョン受信機２は、一般的なテレビジョン受信機であるので、構成についての詳細な説明を省略する。なお、テレビジョン受信機２は、ＤＭＰ機能を有しており、ＤＭＳ装置（記録再生装置１）との間で、ＤＬＮＡガイドラインに準拠した通信処理を行う。具体的には、テレビジョン受信機２は、ホームネットワークに接続するための通信部を備えており、ホームネットワークに接続された他の機器と、ホームネットワークを介して通信する。また、テレビジョン受信機２は、ＤＭＳ装置（記録再生装置１）に記憶されているコンテンツデータをホームネットワークを介して取得する。
【００３１】
本実施形態のシステムでは、ユーザは、記録再生装置１に記録してあるコンテンツデータをテレビジョン受信機２にて再生（視聴）したい場合、テレビジョン受信機２を用いて所望のコンテンツデータを記録再生装置１に対して要求する。なお、本実施形態では、記録再生装置１に記録されているコンテンツデータをテレビジョン受信機２で再生（視聴）する構成を例に説明するが、テレビジョン受信機２の代わりにモニタ装置等のＤＭＰ装置で再生（視聴）させる構成でもよい。
【００３２】
以下に、本実施形態の記録再生装置１が、ＤＭＰ装置（テレビジョン受信機２）からコンテンツデータの再生を要求された際に行う処理について説明する。なお、記録再生装置１及びテレビジョン受信機２は、ＤＬＮＡガイドラインに準拠した処理を行う。図３は、記録再生装置１がコンテンツデータの再生を要求された際に行う処理の手順を示すフローチャートである。
【００３３】
記録再生装置１に記録してあるコンテンツデータをテレビジョン受信機２（ＤＭＰ装置）で再生（視聴）したいユーザは、テレビジョン受信機２を操作して、テレビジョン受信機２から記録再生装置１へコンテンツデータの再生要求を送信する。
記録再生装置１の制御部（再生要求受付部）１０は、テレビジョン受信機２（ＤＭＰ装置）からコンテンツデータの再生要求を取得したか否かを判断しており（Ｓ１）、取得していないと判断した場合（Ｓ１：ＮＯ）、その他の処理を行いつつ待機する。
【００３４】
コンテンツデータの再生要求を取得したと判断した場合（Ｓ１：ＹＥＳ）、制御部（判断部）１０は、記憶部１２に記憶してある実行不可処理情報１２ａが示す所定の処理が現在実行中であるか否かを判断する（Ｓ２）。
実行不可処理情報１２ａが示す処理は、コンテンツデータの再生処理と同時に実行できない処理であり、例えば、外部ネットワークに接続されているサーバ装置への接続処理、所定数以上の録画処理、所定数以上の再生処理がある。即ち、外部ネットワークに接続されているサーバ装置に接続中の場合、或いは、録画処理又は再生処理が所定数以上実行されている場合、再生処理を実行できないことが設定されている。
【００３５】
所定の処理が実行中であると判断した場合（Ｓ２：ＹＥＳ）、例えば、外部ネットワークに接続されているサーバ装置（インターネット）に接続中である場合、或いは、録画処理又は再生処理が所定数以上実行中である場合、制御部（判定部）１０は、要求された再生処理を実行できないと判定する。そして制御部（付加部）１０は、要求された再生処理を実行できない旨を示す情報を付加したコンテンツリスト、即ち、再生処理が実行できない旨を示すコンテンツリストを生成する（Ｓ３）。なお、制御部１０は、要求された再生処理を実行できない旨と共に、再生処理を実行できない理由を示すコンテンツリストを生成してもよい。
【００３６】
所定の処理が実行中でないと判断した場合（Ｓ２：ＮＯ）、制御部１０は、要求された再生処理を実行できると判定する。この場合、制御部１０は、ＨＤＤ１３に記憶してあるコンテンツデータを示すコンテンツリストを生成する（Ｓ４）。制御部１０は、例えば、ＨＤＤ１３に記憶してある各コンテンツデータのフォルダ名及びタイトル名等を一覧表示したコンテンツリストを生成する。
制御部１０は、ステップＳ３又はＳ４で生成したコンテンツリストを、コンテンツデータの再生を要求してきたテレビジョン受信機２（ＤＭＰ装置）へ通信部（リスト出力部）１７から出力し（Ｓ５）、処理を終了する。
【００３７】
テレビジョン受信機２（ＤＭＰ装置）は、記録再生装置１（ＤＭＳ装置）から受信したコンテンツリストを表示し、再生対象となるコンテンツデータを示す情報（フォルダ名及びタイトル名）をテレビジョン受信機２のユーザに通知する。
図４は、コンテンツリストの表示例を示す模式図であり、図４Ａには、コンテンツデータの再生が可能である場合の例を、図４Ｂには、コンテンツデータの再生が可能でない場合の例をそれぞれ示す。
【００３８】
コンテンツデータの再生が可能である場合、図４Ａに示すようにコンテンツリストは、ＨＤＤ１３に生成（設定）してあるフォルダのフォルダ名と、フォルダ毎に各フォルダに記憶してあるコンテンツデータのタイトル名とを一覧表示する。
このようなコンテンツリストが表示されたテレビジョン受信機２において、ユーザは、視聴したいコンテンツデータを選択し、テレビジョン受信機２は、ユーザが選択したコンテンツデータの再生指示をホームネットワークを介して記録再生装置１に対して行う。記録再生装置１の制御部（再生指示受付部）１０は、通信部１７を介して、テレビジョン受信機２のユーザによって選択されたコンテンツデータの再生指示を受け付ける。そして記録再生装置１の制御部１０は、再生指示されたコンテンツデータをＨＤＤ１３から読み出して通信部（コンテンツ出力部）１７からテレビジョン受信機２へ出力してテレビジョン受信機２で再生（表示）させる再生処理を開始する。
【００３９】
コンテンツデータの再生が可能でない場合、図４Ｂに示すようにコンテンツリストは、ＨＤＤ１３に生成（設定）してあるフォルダのフォルダ名及びコンテンツデータのタイトル名の代わりに、再生処理を実行できないことを示すメッセージを表示する。図４Ｂに示す例では、「インターネットに接続中のため現在再生できません」のメッセージが表示されている。これにより、コンテンツデータを再生できないこと、及び再生できない理由をコンテンツリストにて通知できる。なお、図４Ｂに示す例では、１つのフォルダ名及び１つのタイトル名の代わりに、コンテンツデータを再生できない旨のメッセージを表示しているが、このような構成に限定されない。例えば、図４Ａに示すように、ＨＤＤ１３に設定してある全てのフォルダのフォルダ名と、フォルダ毎に各フォルダに記憶してある全てのコンテンツデータのタイトル名とを一覧表示したコンテンツリストを一旦作成し、それぞれのフォルダ名及びタイトル名を全て、コンテンツデータを再生できない旨及び再生できない理由を示すメッセージに変換してもよい。
【００４０】
このようなコンテンツリストが表示されたテレビジョン受信機２において、ユーザは、コンテンツデータを再生できないこと、また、コンテンツデータを再生できない理由を把握できる。よって、ユーザは、コンテンツデータの再生を断念するか、又は、コンテンツデータの再生を妨げている原因を解消し、再度コンテンツデータの再生を試みることができる。
なお、コンテンツリストに表示（付加）される、コンテンツデータを再生できない理由としては、例えば、「録画処理を実行中のため現在再生できません」、「他の再生処理を実行中のため現在再生できません」等がある。また、記録再生装置１の制御部１０が、録画処理の終了予定時間を算出することにより、「録画処理を実行中のため現在再生できません」のメッセージだけでなく、「録画処理の残り時間は２０分です」のように、コンテンツデータの再生を行えない原因が解消されるまでの予定時間を通知するようにしてもよい。
【００４１】
上述したようなＤＭＳ装置がＤＭＰ装置からの再生要求に応じてコンテンツリストをＤＭＰ装置へ送信する処理は、ＤＬＮＡガイドラインで規定されている処理である。本実施形態の記録再生装置１（ＤＭＳ装置）は、コンテンツデータを再生できない旨及び再生できない理由を示す情報をコンテンツリストに付加してＤＭＰ装置へ提供する。よって、ＤＬＮＡガイドラインで規定された処理のみによって、コンテンツデータを再生できない旨及び再生できない理由をＤＭＰ装置に通知できる。従って、ＤＬＮＡガイドラインで規定された処理以外の処理を追加して行う必要がないので、ＤＭＳ装置において、処理負荷が増加せず、ＤＭＰ装置との間で送受信するデータ量も増加しない。また、ＤＭＳ装置及びＤＭＰ装置のメーカが異なる場合であっても、ＤＬＮＡガイドラインに対応した機器であれば、ＤＭＳ装置からＤＭＰ装置へコンテンツリストにて、コンテンツデータを再生できない旨を通知できる。更にＤＭＰ装置のユーザは、ＤＭＳ装置から受信したコンテンツリストにて、コンテンツデータの再生が可能であるか否かを確認できるので、コンテンツデータの再生が可能であるか否かをＤＭＳ装置に問い合わせる必要がなく、利便性がよい。
【００４２】
本実施形態の記録再生装置１（ＤＭＳ装置）は、予め記憶部１２に記憶してある実行不可処理情報１２ａが示す処理が現在実行中である場合に、新たに要求されたコンテンツデータの再生処理が可能でないと判定する構成である。このほかに、記録再生装置１の制御部１０において、例えばＣＰＵの処理負荷を監視しておき、ＣＰＵの処理負荷に応じて、新たに要求されたコンテンツデータの再生処理が可能であるか否かを判定してもよい。具体的には、記録再生装置１の制御部１０は、ＤＭＰ装置からコンテンツデータの再生処理を要求された場合、このときのＣＰＵの処理負荷を検出し、所定量以上である場合、要求されたコンテンツデータの再生処理が可能でないと判定する。このような構成とした場合、ＣＰＵの実際の処理状態に応じてコンテンツデータの再生処理を行うか否かを判定できる。
【００４３】
以上、本発明の好適な実施形態について具体的に説明したが、各構成及び動作等は適宜変更可能であって、上述の実施形態に限定されることはない。
【符号の説明】
【００４４】
１  記録再生装置（コンテンツ出力装置）
２  テレビジョン受信機（外部装置）
１０  制御部（再生要求受付部、再生指示受付部、判定部、付加部、処理部、判断部）
１２  記憶部（処理記憶部）
１３  ＨＤＤ（記憶部）
１７  通信部（リスト出力部、コンテンツ出力部）
【図１】
2014072777.tif 000003
【図２】
2014072777.tif 000004
【図３】
2014072777.tif 000005
【図４】
2014072777.tif 000006